(57)【要約】【課題】デッドスペースを狭くすることができ、また収納棚への機器の収納、取出し作業が容易で、作業スペースを広く確保することができるＯＡ機器用デスクを提供する。【解決手段】天板４の下方にＯＡ機器を載置収納する収納空間１０を形成する。収納空間１０の前面開口部に開閉扉１４を設ける。この開閉扉１４は、上開きの上側開閉扉１４Ａと、下開きの下側開閉扉１４Ｂとで構成され、下端が上端よりも手前側に位置するように後方に傾斜している。【選択図】  図１
2008253420.tif 000002
【特許請求の範囲】
【請求項１】
天板と、この天板の両側に設けられた左右両側板と、前記天板の下方に設けられた収納棚とでＯＡ機器を載置収納する収納空間を形成し、前記収納空間の前面開口部に開閉扉を備えたＯＡ機器用デスクにおいて、
前記開閉扉は、上開きまたは下開きに開閉されるように取付けられるとともに、下端が上端よりも手前側に位置するように後方に傾斜していることを特徴とするＯＡ機器用デスク。
【請求項２】
請求項１記載のＯＡ機器用デスクにおいて、
前記開閉扉は、上方に向かって開く上側開閉扉と、下方に向かって開く下側開閉扉とで構成されていることを特徴とするＯＡ機器用デスク。
【請求項３】
請求項１または２記載のＯＡ機器用デスクにおいて、
前記開閉扉の表面に緩衝材を設けたことを特徴とするＯＡ機器用デスク。
【発明の詳細な説明】
【技術分野】
【０００１】
本発明は、ＯＡ機器用デスクに関するものである。
【背景技術】
【０００２】
近年、パーソナルコンピュータやこのコンピュータに接続される入出力装置や外部機器、さらにはこれら機器との通信を行なう通信機器等（以下、これらを総称して呼ぶときはＯＡ機器という）を収納可能にしたＯＡ機器用デスクが普及している。また、一般のオフィスや工業用あるいはビル管理用システムでもこのようなＯＡ機器用デスクが多数設けられているため、作業スペースを有効に使えるようなコンパクトなＯＡ機器用デスクが望まれている。
【０００３】
そこで、コンパクトなＯＡ機器用デスクを設計しようとすると、デスクの天板の下方に機器を載置収納する収納棚を設け、収納棚に収納された機器を防塵のためにその収納棚の開口部を常時は開閉扉によって閉塞することが有効である。なお、収納棚の開口部はデスクの９正面に設けたほうが収納棚にＯＡ機器を収納したり取り出したりする上で便利である。
【０００４】
このようなＯＡ機器用デスクの一例として、例えば特許文献１に開示されているＯＡ機器用デスクが知られている。ここに開示されているＯＡ機器用デスクは、ＯＡ機器を搭載するコア部と、このコア部と組み合わされるデスク部とからなり、コア部はデスク部のデスク天板の上面と略同一の高さを有するコア天板と、ＯＡ機器の本体を載置収納する収納棚とを備え、デスク部の幕板部には、コア部の収納棚へのＯＡ機器本体等の出し入れを可能にする手前側に観音開き、引き戸式または嵌め込み式の開閉扉を設け、常時は開閉扉を閉止することによりコア部内が隠蔽されるようにしている。
【０００５】
【特許文献１】特開平１０−３３２７３号公報
【発明の開示】
【発明が解決しようとする課題】
【０００６】
しかしながら、前述した特開平１０−３３２７３号公報に開示されているＯＡ機器用デスクは、開閉扉を垂直に設けているため、デスクの使用者が椅子に座った状態でデスクに接近すると、開閉扉の上方と作業者の膝が接近した状態となるが、膝から下と開閉扉とは離れるため、開閉扉と脚との間に三角形の空間ができ、この空間がデッドスペースとなり、デスクの奥行き寸法が大きくなるという問題があった。換言すれば、このスペースを有効に使えば、よりコンパクトなＯＡ機器用デスクが得られる。
【０００７】
また、開閉扉が手前側に観音開きの場合は、このようなＯＡ機器用デスクを隣り合わせに配置した場合やデスクの側方に障害物があると開閉扉の開度が制限を受けるため、機器の収納棚への収納または取出し作業が行い難いという問題もあった。また、作業スペースが開閉扉によって制限されていると、作業者が一人に限られ、収納物が重量物であったり大きなサイズのものである場合には作業に危険がともなう。
【０００８】
本発明は上記した従来の問題を解決するためになされたもので、その目的とするところは、デッドスペースを狭くすることができ、また収納棚への機器の収納、取出し作業が容易で、作業スペースを広く確保することができるＯＡ機器用デスクを提供することにある。
【課題を解決するための手段】
【０００９】
上記目的を達成するために、本発明は、天板と、この天板の両側に設けられた左右両側板と、前記天板の下方に設けられた収納棚とでＯＡ機器を載置収納する収納空間を形成し、前記収納空間の前面開口部に開閉扉を備えたＯＡ機器用デスクにおいて、前記開閉扉は、上開きまたは下開きに開閉されるように取付けられるとともに、下端が上端よりも手前側に位置するように後方に傾斜しているものである。
【００１０】
また、本発明は、前記開閉扉を上方に向かって開く上側開閉扉と、下方に向かって開く下側開閉扉とで構成したものである。
【００１１】
さらに、本発明は、前記開閉扉の表面に緩衝材を設けたものである。
【発明の効果】
【００１２】
本発明においては、デスクの使用者が椅子に座った状態でＯＡ機器用デスクに接近すると、通常使用者の脚の膝が開閉扉側に突き出し、膝から下が後退する姿勢になるが、その姿勢に合わせて開閉扉が後方に傾斜しているので、垂直な開閉扉に比べて開閉扉と脚との間のデッドスペースを狭くすることができ、結果としてコンパクトなＯＡ機器用デスクが得られる。
【００１３】
また、本発明においては、開閉扉を上下２枚で構成しているので、１枚の開閉扉に比べて開いたときの手前側に突出する突出量が少なく、より広い作業スペースを確保することができる。
【００１４】
さらに、本発明においては、開閉扉の表面に緩衝材を設けたので、使用者の脚（特に膝部分）が当たっても痛みを感じることなく仕事を行なうことができる。また、上側開閉扉を開いたときは、天板裏面に当たったときの衝撃を吸収し、開閉蓋の破損を防止できる。同様に下側開閉扉を開いたときは、床面またはフットに当たったときの衝撃を吸収し、開閉蓋の破損を防止できる。
【発明を実施するための最良の形態】
【００１５】
以下、本発明を図面に示す実施の形態に基づいて詳細に説明する。
図１は本発明に係るＯＡ機器用デスクの一実施の形態を示す側面図、図２は同デスクの外観斜視図、図３は同デスクの分解斜視図、図４は複数のデスクを配列した状態を示す平面図である。これの図において、全体を参照符号１で示すＯＡ機器用デスクは、上面にパーソナルコンピュータ用のディスプレイ２とキーボード３が設置される左右方向に長い矩形の天板４を備えている。天板４の下面両側部には、左右一対の側板５、６の上端が固定されている。
【００１６】
前記各側板５、６は、それぞれ前後端面５ａ、５ｂ、６ａ、６ｂの下端が手前側（使用者）側で、上端が後方に位置するように前記前後端面５ａ、５ｂ、６ａ、６ｂを後方側に所要角度傾斜させるとともに、後端下部に後方に延在する三角形の延長部５Ａ、６Ａを一体に設けることにより斬新な形状に形成されている。また、左右一対の側板５，６の間には、窓枠９が配設されており、下端が床面に設置される矩形枠状のベース７の上に固定されている。なお、左右一対の側板５、６と窓枠９は、溶接などで一体形成されていてフレームを構成し、このフレームの間にケース８が配設されている。
【００１７】
前記ケース８は、上板８ａと、左右一対の側板８ｂ、８ｃと、底板８ｄとで構成することにより、前後面が開放する箱型に形成され、左右両側板８ｂ、８ｃが側板５，６の後端面に固定されている。側板８ｂ、８ｃの前端面は、側板５、６の前端面５ａ、６ａと同一角度で後方に傾斜している。ケース８の内部は、ＯＡ機器、例えばＳＰ（スピーカ）、ＵＰＳ１（無停電電源装置）、ＰＣ（パーソナルコンピュータ）等を収納する収納空間１０を形成している。また、この収納空間１０は、３枚の収納棚１１Ａ、１１Ｂ、１１Ｃによって３つの室に仕切られている。
【００１８】
前記窓枠９は、上枠９ａと、この上枠９ａの前端に折り曲げ形成された前枠９ｂとで構成されている。上枠９ａは、天板４の下面に固定されている。前枠９ｂは、ケース８の前端面に固定されることにより後方に所定角度傾斜している。前枠９ｂの開口部１３は、前記収納空間１０の前面開口部を形成するもので、桟１２によって上側開口部１３Ａと下側開口部１３Ｂとに仕切られており、これらの開口部１３Ａ、１３Ｂを開閉自在な開閉扉１４によって通常閉塞している。
【００１９】
前記開閉扉１４は、上側開口部１３Ａを閉塞する上側開閉扉１４Ａと、下側開口部１３Ｂを閉塞する下側開閉扉１４Ｂとで構成されている。上側開閉扉１４Ａは、上端が前記前枠９ｂの前面上部にヒンジ１９ａを介して回動自在に枢着されることにより上開き、すなわち上方に向かって回動されると開く扉を形成しており、閉蓋時においては前枠９ｂの前面に当接して上側開口部１３Ａを閉塞することにより、下端が上端よりも手前側に位置し前枠９ｂと同一角度で後方側に傾斜している。
【００２０】
一方、下側開閉扉１４Ｂは、下端が前記前枠９ｂの前面下部にヒンジ１９ｂを介して回動自在に枢着されることにより下開き、すなわち下方に向かって回動されると開く扉を形成しており、閉蓋時においては前枠９ｂの前面に当接して下側開口部１３Ｂを閉塞することにより、下端が上端よりも手前側に位置し、前記上側開閉扉１４Ａと同一角度で後方側に傾斜している。そして、下側開閉扉１４Ｂは、開蓋時に手前側に最大角度回動されると前記ベース７の前端に設けたフット１５上に裏返しの状態で載置されるように構成されている。
【００２１】
なお、上側開閉扉１４Ａと下側開閉扉１４Ｂの表面は、通気用スリット１６を有する軟質のレザー等からなる緩衝材１７によって覆われている。緩衝材１７は、使用者の脚、特に膝部分が当たったとき、痛みを感じさせないために設けられるもので、扉の表面全体を覆うものに限らず、膝が当たる部分に設けられるものであってもよい。また、上側開閉扉１４Ａの緩衝材１７においては、扉１４Ａを開いて天板４の下面に当てたとき、大きな当接音を発したり扉が破損するのを防止し、下側開閉扉１４Ｂの緩衝材１７は、扉１４Ｂを開いてフット１５の上面に当てたとき、同じく大きな当接音を発したり扉が破損するのを防止することができる。
【００２２】
前記ケース８の背面開口部２０も同じく桟２１によって上側開口部２０Ａと下側開口部２０Ｂとに仕切られており、これらの開口部２０Ａ、２０Ｂを開閉自在な開閉扉２１によって通常閉塞している。
【００２３】
前記開閉扉２１は、上側開口部２０Ａを閉塞する上側開閉扉２１Ａと、下側開口部２０Ｂを閉塞する下側開閉扉２１Ｂとで構成されている。上側開閉扉２１Ａは、上端が前記ケース８の上板８ａの後端にヒンジ１９ｃを介して回動自在に枢着されることにより上開きの扉を形成しており、開蓋時には図１に二点鎖線で示すように上方に最大角度回動されると天板４の下面に当接するように構成されている。一方、下側開閉扉２１Ｂは、下端がケース８の底板８ｄの後端にヒンジ１９ｄを介して回動自在に枢着されることにより下開きの扉を形成しており、開蓋時には図１に二点鎖線で示すように手前側に最大角度回動されると裏返しされて上端が床面に当接するように構成されている。また、上側開閉扉２１Ａと下側開閉扉２１Ｂは、表面が通気用スリットを有する軟質のレザー等によって覆われており、内部にはＯＡ機器の熱対策を考慮してファン２２がそれぞれ組み込まれている。なお、ヒンジ１９ａ〜１９ｄとしては、各開閉扉１４Ａ、１４Ｂ、２１Ａ、２１Ｂを任意の開閉角度位置で停止させることができるトルクヒンジを用いることが好ましい。また、開閉扉１４、２１は、いずれも閉塞した状態および開いた状態が保持され、自重によって回動じないようにするために適宜な保持具で保持されることが望ましい。
【００２４】
このような構造からなるＯＡ機器用デスク１において、使用者２５が天板４上のキーボード３を操作するとき、図１に示すように椅子２６に座ってデスク１に近づき、足２７をフット１５の上に載せると、脚２８の膝２９が開閉扉１４側に突き出し、膝２８から下が後退した姿勢となる。また、開閉扉１４は脚２８の姿勢にあわせて下端が手前側に位置して上端が後方に位置するように後方に傾斜しているので、開閉扉１４と脚２８との間の空間３３を狭くすることができる。特に、従来のデスクは開閉扉が垂直なため、膝２９と開閉扉と足２７との間に直角三角形の空間ができてデッドスペースが大きくなるが、本発明のように開閉扉１４を後方に傾斜した扉で構成すると、開閉扉と脚２８とが略平行になってデッドスペース（３３）を狭くすることができるため、デスク１をコンパクトにまとめることができる。反対に、開閉扉１４の上端位置は変更せず、下端を手前側に位置させて足２７に近づければ、デスク１の収納空間１０を広くすることができる。
【００２５】
また、開閉扉１４を上開きの上側開閉扉１４Ａと下開きの下側開閉扉１４Ｂとで構成しているので、図４に示すように複数のＯＡ機器用デスク１を隣り合わせに連結して使用する場合、デスク１の側方に障害物３４があっても開閉扉１４の開度に制限を受けず、収納棚１１Ａ〜１１ＣへのＯＡ機器の収納または取出し作業が容易である。
【００２６】
また、開閉扉１４の開度に制限を受けなければ、天板４の下方に大きな作業スペースを確保することができるため、二人がかりで作業を行うことも可能で、収納されているＯＡ機器が重量物であったり大きなサイズのものである場合も安全に作業を行うことができる。
【００２７】
なお、上記した実施の形態においては、前面側の開閉扉１４を上下に２分割された上側開閉扉１４Ａと下側開閉扉１４Ｂとで構成したが、本発明はこれに何ら特定されるものではなく、１枚の上開きまたは下開きの開閉扉で構成してもよい。
【図面の簡単な説明】
【００２８】
【図１】本発明に係るＯＡ機器用デスクの一実施の形態を示す側面図である。
【図２】同デスクの外観斜視図である。
【図３】同デスクの分解斜視図である。
【図４】複数のデスクを配列した状態を示す平面図である。
【符号の説明】
【００２９】
１…ＯＡ機器用デスク、２…パーソナルコンピュータ、３…キーボード、４…天板、５、６…側板、１０…収納空間、１１Ａ〜１１Ｃ…収納棚、１３…前面開口部、１４…開閉扉、１４Ａ…上側開閉扉、１４Ｂ…下側開閉扉。
【図１】
2008253420.tif 000003
【図２】
2008253420.tif 000004
【図３】
2008253420.tif 000005
【図４】
2008253420.tif 000006